(57)【特許請求の範囲】
【請求項１】
複数の操作検出部と、
前記操作検出部により操作が検出されると、当該操作が検出された操作検出部に割り当てられた文字を入力する制御部と、を有し、
前記制御部は、所定の時間間隔内で、複数の異なる前記操作検出部により操作が検出されると、当該操作が検出された複数の異なる前記操作検出部のそれぞれに割り当てられた文字を入力すると共に、当該入力された複数の文字のうちの一つの文字を一定時間選択し、当該一定時間経過後、前記複数の文字のうちの他の文字を選択する処理を行い、前記所定の時間間隔外で、複数の異なる前記操作検出部により操作が検出されると、当該操作が検出された複数の異なる前記操作検出部のそれぞれに割り当てられた文字を入力すると共に、当該入力された複数の文字に対して前記処理を行わない、ことを特徴とする携帯電子機器。
【請求項２】
前記制御部は、前記処理を行っているときに、前記操作検出部のうちの特定の操作検出部により操作が検出されると、前記複数の文字のうちの一つの文字或いは他の文字を消去する、ことを特徴とする請求項１に記載の携帯電子機器。
【請求項３】
報知部を有し、
前記制御部は、前記入力された複数の文字のうち、選択された文字を、選択されてない文字と区別して前記報知部により報知する、ことを特徴とする請求項１又は２に記載の携帯電子機器。
【請求項４】
前記制御部は、前記所定の時間間隔内で、複数の異なる前記操作検出部のうちの特定の複数の異なる操作検出部により操作が検出された場合に、前記処理を行う、ことを特徴とする請求項１に記載の携帯電子機器。
【請求項５】
報知部を有し、
前記制御部は、前記所定の時間間隔内で、複数の異なる前記操作検出部により操作が検出されると、当該操作が検出された複数の異なる前記操作検出部のそれぞれに割り当てられた文字を入力すると共に、前記所定の時間間隔の計数が終了した後に、前記操作検出部により操作が検出されて、当該操作が検出された前記操作検出部に割り当てられた文字が新たに入力されると、複数の異なる前記操作検出部のそれぞれに割り当てられた文字を前記新たに入力された文字と区別して前記報知部により報知する、ことを特徴とする請求項１に記載の携帯電子機器。
【発明の詳細な説明】
【技術分野】
【０００１】
本発明は、複数の操作が検出される携帯電子機器に関する。
【背景技術】
【０００２】
従来より、複数の操作検出部を有する入力装置等の携帯電子機器が知られている（例えば、特許文献１参照）。
【先行技術文献】
【特許文献】
【０００３】
【特許文献１】特開２００１−２７４８８８号公報
【発明の概要】
【発明が解決しようとする課題】
【０００４】
しかし、上述したような複数の操作検出部を有する携帯電子機器では、ユーザが一つの操作検出部を操作しようとしたにもかかわらず、誤って複数の異なる操作検出部を操作してしまい、携帯電子機器の操作性が損なわれるおそれがあった。このため、上述したような携帯電子機器では、操作性のさらなる向上が望まれていた。
【０００５】
本発明は、操作性のさらなる向上を図ることができる携帯電子機器を提供することを目的とする。
【課題を解決するための手段】
【０００６】
本発明は、複数の操作検出部と、前記操作検出部により操作が検出されると、当該操作が検出された操作検出部に割り当てられた文字を入力する制御部と、を有し、前記制御部は、所定の時間間隔内で、複数の異なる前記操作検出部により操作が検出されると、当該操作が検出された複数の異なる前記操作検出部のそれぞれに割り当てられた文字を入力すると共に、当該入力された複数の文字のうちの一つの文字を一定時間選択し、当該一定時間経過後、前記複数の文字のうちの他の文字を選択する処理を行い、前記所定の時間間隔外で、複数の異なる前記操作検出部により操作が検出されると、当該操作が検出された複数の異なる前記操作検出部のそれぞれに割り当てられた文字を入力すると共に、当該入力された複数の文字に対して前記処理を行わない、ことを特徴とする携帯電子機器に関する。
【００１０】
また、前記制御部は、前記所定の処理を行っているときに、前記操作検出部のうちの特定の操作検出部により操作が検出されると、前記特定の操作検出部により前記操作が検出された時点で、前記所定の処理の結果として選択されていた文字を消去する、又は前記所定の処理の結果として選択されていた文字以外の文字であって前記操作が検出された複数の異なる前記操作検出部のそれぞれに割り当てられたものを消去する、ことが好ましい。
【００１１】
また、前記電子機器は、報知部を有し、前記制御部は、前記所定の処理の結果として選択された文字を、前記所定の処理の結果として選択されてない文字と区別して前記報知部により報知する、ことが好ましい。
【００１２】
また、前記制御部は、前記所定の時間間隔内で、複数の異なる前記操作検出部のうちの特定の複数の異なる操作検出部により操作が検出された場合に、前記所定の処理を行う、ことが好ましい。
【００１５】
また、前記電子機器は、報知部を有し、前記制御部は、前記所定の時間間隔内で、複数の異なる前記操作検出部により操作が検出されると、当該操作が検出された複数の異なる前記操作検出部のそれぞれに割り当てられた文字を入力すると共に、前記所定の時間間隔の計数が終了した後に、前記操作検出部により操作が検出されて、当該操作が検出された前記操作検出部に割り当てられた文字が新たに入力されると、複数の異なる前記操作検出部のそれぞれに割り当てられた文字を前記新たに入力された文字と区別して前記報知部により報知する、ことが好ましい。
【００１７】
また、前記制御部は、互いに隣接する前記操作検出部により操作が検出された場合に、前記所定の処理を行う、ことが好ましい。
【発明の効果】
【００１８】
本発明によれば、操作性のさらなる向上を図ることができる携帯電子機器を提供することができる。
【図面の簡単な説明】
【００１９】
【図１】本実施形態に係る携帯電話機１の外観斜視図である。
【図２】本実施形態の携帯電話機１の機能構成を示すブロック図である。
【図３】２つの操作検出部２３により操作が検出された状態を示す模式図である。
【図４Ａ】２つの操作検出部２３により操作が検出されたときの処理について説明する図である。
【図４Ｂ】２つの操作検出部２３により操作が検出されたときの処理について説明する図である。
【図４Ｃ】２つの操作検出部２３により操作が検出されたときの処理について説明する図である。
【図４Ｄ】２つの操作検出部２３により操作が検出されたときの処理について説明する図である。
【図５】３つの操作検出部２３により操作が検出された状態を示す模式図である。
【図６Ａ】３つの操作検出部２３により操作が検出されたときの処理について説明する図である。
【図６Ｂ】３つの操作検出部２３により操作が検出されたときの処理について説明する図である。
【図６Ｃ】３つの操作検出部２３により操作が検出されたときの処理について説明する図である。
【図６Ｄ】３つの操作検出部２３により操作が検出されたときの処理について説明する図である。
【図６Ｅ】３つの操作検出部２３により操作が検出されたときの処理について説明する図である。
【図６Ｆ】３つの操作検出部２３により操作が検出されたときの処理について説明する図である。
【図７Ａ】制御部３５による所定の処理の異なる態様について示す図である。
【図７Ｂ】制御部３５による所定の処理の異なる態様について示す図である。
【図７Ｃ】制御部３５による所定の処理の異なる態様について示す図である。
【図７Ｄ】制御部３５による所定の処理の異なる態様について示す図である。
【図７Ｅ】制御部３５による所定の処理の異なる態様について示す図である。
【図７Ｆ】制御部３５による所定の処理の異なる態様について示す図である。
【図７Ｇ】制御部３５による所定の処理の異なる態様について示す図である。
【図８】報知部としての表示部１２に表示されるメッセージについて示す図である。
【図９】制御部３５による処理の一例を示すフローチャートである。
【発明を実施するための形態】
【００２０】
以下に、本発明を実施するための好ましい実施形態について、図面を参照しながら説明する。まず、本発明の携帯電子機器の一実施形態に係る携帯電話機１の基本構造について、図１を参照しながら説明する。
【００２１】
図１は、本実施形態に係る携帯電話機１の外観斜視図である。詳細には、図１（ａ）は、携帯電話機１の開状態を示す図であり、図１（ｂ）は、携帯電話機１の閉状態を示す図である。
【００２２】
携帯電話機１は、第１筐体１０と、第２筐体２０とを備える。
第１筐体１０には、その前面１１に、表示部１２が配置される。表示部１２は、所定の内部処理が実行されて、後述する操作部２２の操作に応じて、文字及び数字の少なくとも一方を表示する。また、表示部１２は、所定の内部処理が実行されて、通話の相手側の電話番号やメールアドレス、及びメールの内容等の各種情報（文字情報や画像情報）を表示する。
【００２３】
また、第１筐体１０には、その前面１１に、マイク１３及びレシーバ１４が配置される。マイク１３は、携帯電話機１の使用者が通話時に発した音声を入力するために用いられる。レシーバ１４は、通話の相手側の音声を出力する。
また、第１筐体１０には、その側面にスピーカ１５が配置される。スピーカ１５は、携帯電話機１への着信を知らせる音声等を出力する。
【００２４】
第２筐体２０には、その前面２１に、操作部２２が配置される。前面２１とは、第１筐体１０の背面（第１筐体１０の前面１１とは反対側の面）と向かい合う面のことである。
【００２５】
第１筐体１０と第２筐体２０とは、連結部材（図示せず）により連結される。そして、第１筐体１０と第２筐体２０とは、連結部材により開閉方向Ｄに沿って移動可能に構成される。
【００２６】
第２筐体２０は、第１筐体１０に対して相対的に移動することにより開状態を形成し（図１（ａ）参照）、又は第１筐体１０と重なるように配置されることにより閉状態を形成する（図１（ｂ）参照）。すなわち、携帯電話機１は、第１筐体１０及び第２筐体２０が平面視して互いに重なるように配置されることにより閉状態を形成し、第２筐体２０が第１筐体１０に対して側方に引き出されることにより（第１筐体１０が第２筐体２０に対して側方に押し出されることにより）開状態を形成する。
【００２７】
操作部２２は、第１筐体１０と第２筐体２０とが相対的に移動して開状態となったときに操作可能となる。
操作部２２は、いわゆるＱＷＥＲＴＹ配列のキー配列で構成されている。操作部２２は、操作キー部材２２ａと、キースイッチ２２ｂとを含んで構成される。
操作キー部材２２ａは、文字や記号、数字等がそれぞれ割り当てられる第１のキー２２１（図１（ａ）中の破線部で囲まれるキー）と、入力された文字や記号、数字等を削除する削除キー（図１（ａ）中の「ｄｅｌ」キー）２２２と、Ｃｔｒｌキーや、Ｓｈｉｆｔキー等の文字や記号、数字等が割り当てられていない第２のキー２２３と、サイドキー２２４とを有する。
【００２８】
サイドキー２２４は、操作部２２を平面視した際における第２筐体２０の左側面に配置され、開状態及び閉状態のいずれの状態でも外部に露出される。
【００２９】
次に、図２を参照しながら、携帯電話機１の機能構成について説明する。
図２は、本実施形態の携帯電話機１の機能構成を示すブロック図である。携帯電話機１は、操作部２２と、マイク１３と、表示部１２と、レシーバ１４と、スピーカ１５と、ドライバＩＣ３０と、通信部３１と、画像処理部３２と、音声処理部３３と、記憶部３４と、制御部３５と、バイブレータ３８とを備える。
【００３０】
操作キー部材２２ａは、複数の操作キー部材により構成される。
キー基板２２ｂは、複数のキースイッチ２２ｂ−１を有する。複数のキースイッチ２２ｂ−１それぞれは、各操作キー部材２２ａに対応する位置に配置される。キー基板２２ｂに配置される複数のキースイッチ２２ｂ−１それぞれは、例えば、椀状に湾曲して立体的に形成された金属板のメタルドームを有する構造になっている。メタルドームは、その椀状形状の頂点が押圧されると、キー基板２２ｂの表面に印刷された電気回路（図示せず）に形成されるスイッチ端子に接触して電気的に導通するように構成される。
【００３１】
通信部３１は、メインアンテナ３１１とＲＦ回路部３１２とを備え、所定の通信先と通信を行う。通信部３１が通信を行う通信先としては、携帯電話機１と電話やメールの送受信を行う外部の端末装置や、携帯電話機１がインターネットの接続を行う外部のＷｅｂサーバ等の外部装置が挙げられる。
【００３２】
メインアンテナ３１１は、所定の使用周波数帯で外部装置と通信を行う。
ＲＦ回路部３１２は、メインアンテナ３１１によって受信した信号を復調処理し、処理後の信号を制御部３５に供給する。また、ＲＦ回路部３１２は、制御部３５から供給された信号を変調処理し、メインアンテナ３１１を介して外部装置（基地局）に送信する。
【００３３】
画像処理部３２は、制御部３５の制御にしたがって、所定の画像処理を行い、処理後の画像データをドライバＩＣ３０に出力する。ドライバＩＣ３０は、画像処理部３２から供給された画像データをフレームメモリ（図示せず）に蓄え、所定のタイミングで表示部１２に出力する。
【００３４】
音声処理部３３は、制御部３５の制御にしたがって、ＲＦ回路部３１２から供給された信号に対して所定の音声処理を行い、処理後の信号をレシーバ１４やスピーカ１５に出力する。レシーバ１４及びスピーカ１５は、音声処理部３３から供給された信号を外部に出力する。
【００３５】
また、音声処理部３３は、制御部３５の制御にしたがって、マイク１３から入力された信号を処理し、処理後の信号をＲＦ回路部３１２に出力する。ＲＦ回路部３１２は、音声処理部３３から供給された信号に所定の処理を行い、処理後の信号をメインアンテナ３１１に供給し、メインアンテナ３１１により電波として外部に出力させる。
【００３６】
記憶部３４は、例えば、ワーキングメモリを含み、制御部３５による演算処理に利用される。また、記憶部３４には、携帯電話機１上で動作する様々なアプリケーションが利用するデータやテーブル等が格納されている。例えば、記憶部３４には、アドレス帳、電子メールが記憶されるメールＤＢ、各種辞書等が格納されている。なお、記憶部３４は、着脱可能な外部メモリであってもよい。
【００３７】
制御部３５は、携帯電話機１の全体を制御しており、表示部１２、通信部３１、画像処理部３２、音声処理部３３及びバイブレータ３８に対して所定の制御を行う。
また、制御部３５は、キースイッチ２２ｂ−１が押圧されると、押圧されたキースイッチ２２ｂ−１がスイッチ端子に接触して電気的に導通することにより、キースイッチ２２ｂ−１が押圧されたことを検出するキー検出部３５１を有する。そして、キースイッチ２２ｂ−１と、キー検出部３５１とは、操作検出部２３を構成する。
バイブレータ３８は、制御部３５に従って駆動して、振動を発生させる。バイブレータ３８は、振動を発生させることにより、ユーザに対して報知を行う。
【００３８】
次に、本実施形態の携帯電話機１の特徴的な動作（処理）について説明する。
図３は、第１のキー２２１における文字「Ｆ」及び文字「Ｇ」に対応する２つの操作検出部２３により操作が検出された状態（図３中の斜線部）を示す模式図である。図４Ａ〜図４Ｄは、２つの操作検出部２３により操作が検出されたときの処理について説明する図である。
【００３９】
本実施形態の携帯電話機１は、操作検出部２３が同時押しされた場合の操作性を向上させる機能を有する。以下、本実施形態の携帯電話機１が当該機能を発揮させる動作（処理）について説明する。
【００４０】
なお、本実施形態において、「操作検出部２３が同時押しされる」とは、所定の時間間隔Ｔ内で、複数の操作検出部２３により操作が検出されることをいう。また、「操作検出部２３が同時押しされない」とは、所定の時間間隔Ｔ外で、複数の操作検出部２３により操作が検出されることをいう。
また、所定の時間間隔Ｔは、一の操作検出部２３により最初に操作が検出されたときから起算して図示しないタイマーで計数される。ただし、所定の時間間隔Ｔ内に複数の操作検出部２３の操作が検出されなかった場合には、制御部３５は、所定の時間間隔Ｔの経過後に、所定の時間間隔Ｔの起算をリセットするものとする。
【００４１】
すなわち、「同時押しされる操作検出部２３」とは、最初に操作が検出された一の操作検出部２３を含んでおり、当該一の操作検出部２３により操作が検出されてから、所定の時間間隔Ｔが経過するまでの間に、操作が検出された複数の操作検出部２３を含む。なお、所定の時間間隔Ｔは、例えば、０．１秒程度である。
【００４２】
制御部３５は、複数の操作検出部２３により操作が検出されると、当該操作が検出された操作検出部２３に割り当てられた文字を入力する。
なお、制御部３５は、入力される文字の色、大きさ、フォントの種類、背景色等の入力される文字に関する各種の設定を行って、表示部１２に文字を入力（表示）させる。
そして、制御部３５は、所定の時間間隔Ｔ内で、複数の異なる操作検出部２３により操作が検出されると、当該操作が検出された複数の異なる操作検出部２３のそれぞれに割り当てられた文字を入力すると共に、当該入力された文字に関するデータに対して所定の処理を行う。
【００４３】
一方、制御部３５は、所定の時間間隔Ｔ外で、複数の異なる操作検出部２３により操作が検出されると、当該操作が検出された複数の異なる操作検出部２３のそれぞれに割り当てられた文字を入力すると共に、当該入力された文字に関するデータに対して所定の処理を行わない。
【００４４】
具体的には、制御部３５は、第１のキー２２１における互いに隣接する文字「Ｆ」キー及び文字「Ｇ」キーの押下が、所定の時間間隔Ｔ内で、それぞれのキーに対応する操作検出部２３により検出されると（図３参照）、当該操作が検出された操作検出部２３のそれぞれに割り当てられた文字である文字「Ｆ」及び文字「Ｇ」を入力すると共に（図４Ａ参照）、入力された文字「Ｆ」及び文字「Ｇ」に対応する領域４１及び領域４２に対して所定の処理を行う。
【００４５】
ここで、制御部３５は、入力された複数の文字「Ｆ」及び文字「Ｇ」のうちいずれか一つをカーソル５０によって順次選択する処理を、所定の処理として行う（図４Ａ及び図４Ｂ参照）。
なお、本実施形態において、「文字を選択する」とは、文字及びその文字に対応する領域が選択されてアクティブな状態になっている場合だけなく、その文字に対応する領域内にカーソル５０が表示されている場合を含む。
【００４６】
一方、制御部３５は、第１のキー２２１における互いに隣接する文字「Ｆ」キー及び文字「Ｇ」キーの押下が、所定の時間間隔Ｔ外で、それぞれのキーに対応する操作検出部２３により検出されると（図３参照）、当該操作が検出された操作検出部２３のそれぞれに割り当てられた文字である文字「Ｆ」及び文字「Ｇ」を入力すると共に（図４Ａ参照）、入力された文字「Ｆ」及び文字「Ｇ」に対応する領域４１及び領域４２に対して所定の処理を行わない。
【００４７】
また、制御部３５は、入力された複数の文字「Ｆ」及び文字「Ｇ」のうちいずれか一つを選択する順序を所定の規則に基づいて変更してもよい。
例えば、「最先に入力された文字が最先に選択される」ことを所定の規則として用いてもよい。通常は、制御部３５は、後に入力された文字「Ｇ」に対応する領域４２をカーソル５０により選択するが、この場合には、制御部３５は、先に入力された文字「Ｆ」に対応する領域４１をカーソル５０により選択する。次に、制御部３５は、後に入力された文字「Ｇ」に対応する領域４２をカーソル５０により選択する。
【００４８】
また、制御部３５は、入力された文字複数の「Ｆ」及び文字「Ｇ」のうちいずれか一つを選択する速度を所定の規則に基づいて変更してもよい。
例えば、「最先に入力された文字が選択される速度は、その後に入力された文字が選択される速度よりも長い」ことを所定の規則として用いてもよい。
この場合、制御部３５は、最先に入力された文字「Ｆ」に対応する領域４１を、カーソル５０により時間間隔Ｔ１の間選択する。次に、制御部３５は、後に入力された文字「Ｇ」に対応する領域４２を、カーソル５０により時間間隔Ｔ１よりも短い時間間隔Ｔ２（Ｔ１＞Ｔ２）の間選択する。
【００４９】
制御部３５は、所定の処理の結果として選択された文字「Ｆ」又は文字「Ｇ」のいずれか一方を、所定の処理の結果として選択されてない文字「Ｆ」又は文字「Ｇ」のいずれか他方と区別して、報知部としての表示部１２により報知する。
【００５０】
すなわち、制御部３５は、表示部１２において、文字「Ｆ」に対応する領域４１又は文字「Ｇ」に対応する領域４２にカーソル５０を表示することで、選択された文字「Ｆ」又は文字「Ｇ」のいずれか一方を、選択されてない文字「Ｆ」又は文字「Ｇ」のいずれか他方と区別して、報知する。
なお、報知部としては、表示部１２に限らず、例えば、制御部３５は、スピーカ１５から出力される音の音色を異ならせることで、選択された文字「Ｆ」又は文字「Ｇ」のいずれか一方を、選択されてない文字「Ｆ」又は文字「Ｇ」のいずれか他方と区別して、報知してもよい。
【００５１】
また、制御部３５は、所定の時間間隔Ｔ内で、複数の異なる操作検出部２３のうちの特定の操作検出部２３（例えば、文字や記号、数字等がそれぞれ割り当てられる第１のキー２２１）により操作が検出された場合に、所定の処理を行う。
【００５２】
そして、制御部３５は、入力された複数の文字「Ｆ」及び文字「Ｇ」のうちいずれか一つをカーソル５０によって順次選択する処理を、所定の処理として行っているときに、操作検出部２３のうちの削除キー２２２に対応する操作検出部２３（特定の操作検出部）により操作が検出されると、削除キー２２２に対応する操作検出部２３により操作が検出された時点で、所定の処理の結果としてカーソル５０により選択されていた領域の文字を消去する。
なお、本発明は、カーソル５０により選択されていた領域の文字を消去するものに限らず、選択されていた領域の文字を残して、その他の同時押しに起因する文字を消去するように構成してもよい。
【００５３】
具体的には、制御部３５は、入力された文字「Ｇ」がカーソル５０により選択されているときに（図４Ａ参照）、削除キー２２２に対応する操作検出部２３により操作が検出されると、この時点で選択されていた領域４２の文字である文字「Ｇ」を消去する（図４Ｃ参照）。
一方、制御部３５は、入力された文字「Ｆ」がカーソル５０により選択されているときに、削除キー２２２に対応する操作検出部２３により操作が検出されると、この時点で選択されていた領域４１の文字である文字「Ｆ」を消去する（図４Ｄ参照）。
【００５４】
上述した図３及び図４Ａ〜図４Ｄに示す例では、所定の時間間隔Ｔ内に文字「Ｆ」及び文字「Ｇ」に対応する２つの操作検出部２３により操作が検出された場合について説明したが、本発明は、これに限定されない。本発明に係る携帯電話機１は、所定の時間間隔Ｔ内に３つ以上の操作検出部２３により操作が検出された場合であっても適用できる。
【００５５】
図５は、第１のキー２２１における文字「Ｒ」、文字「Ｆ」及び文字「Ｇ」に対応する３つの操作検出部２３により操作が検出された状態（図５中の斜線部）を示す模式図である。図６Ａ〜図６Ｆは、３つの操作検出部２３により操作が検出されたときの処理について説明する図である。
【００５６】
制御部３５は、第１のキー２２１における互いに隣接する文字「Ｒ」、文字「Ｆ」キー及び文字「Ｇ」キーの押下が、所定の時間間隔Ｔ内で、それぞれのキーに対応する操作検出部２３により検出されると（図５参照）、当該操作が検出された操作検出部２３のそれぞれに割り当てられた文字である文字「Ｒ」、文字「Ｆ」及び文字「Ｇ」を入力すると共に（図６Ａ参照）、入力された文字「Ｒ」、文字「Ｆ」及び文字「Ｇ」に対応する領域４１、領域４２及び領域４３に対して所定の処理を行う。
【００５７】
ここで、制御部３５は、上述した図３、図４Ａ及び図４Ｂと同様に、入力された文字「Ｒ」、文字「Ｆ」及び文字「Ｇ」のうちいずれか一つをカーソル５０によって順次選択する処理を、所定の処理として行う（図６Ａ、図６Ｂ及び図６Ｃ参照）。
【００５８】
そして、制御部３５は、入力された文字「Ｒ」がカーソル５０により選択されているときに（図６Ａ参照）、削除キー２２２に対応する操作検出部２３により操作が検出されると、この時点で選択されていた領域４３の文字である文字「Ｒ」を消去する（図６Ｄ参照）。
また、制御部３５は、入力された文字「Ｆ」がカーソル５０により選択されているときに、削除キー２２２に対応する操作検出部２３により操作が検出されると、この時点で選択されていた領域４１の文字である文字「Ｆ」を消去する（図６Ｅ参照）。
また、制御部３５は、入力された文字「Ｇ」がカーソル５０により選択されているときに、削除キー２２２に対応する操作検出部２３により操作が検出されると、この時点で選択されていた領域４２の文字である文字「Ｇ」を消去する（図６Ｆ参照）。
【００５９】
さらに、制御部３５は、報知部としてのスピーカ１５やバイブレータ３８により所定の処理に対応する報知を行ってもよい。具体的には、制御部３５は、スピーカ１５から音を出力させたり、バイブレータ３８を振動させるたりすることにより、所定の処理に対応する報知を行う。
【００６０】
図７Ａ〜図７Ｆは、制御部３５による所定の処理の異なる態様について示す図である。
制御部３５は、所定の時間間隔Ｔ内で、第１のキー２２１における文字「Ｆ」及び文字「Ｇ」に対応する複数の異なる操作検出部２３により操作が検出されると、当該操作が検出された複数の異なる操作検出部２３のそれぞれに割り当てられた文字「Ｆ」及び文字「Ｇ」を入力すると共に、当該操作が検出された時点において、既に入力された既入力文字「あ」が存在する場合には、当該入力された文字を既入力文字と区別して報知部としての表示部１２により報知（表示）することにより、所定の処理を行ってもよい（図７Ａ〜図７Ｆ参照）。
【００６１】
ここで、表示部１２による報知（表示）としては、文字「Ｆ」及び文字「Ｇ」のいずれか一方の色を順次変化させたり（図７Ａ及び図７Ｂ参照）、文字「Ｆ」及び文字「Ｇ」に対応する領域４１及び領域４２のいずれか一方を順次反転表示させたり（図７Ｃ及び図７Ｄ参照）、文字「Ｆ」及び文字「Ｇ」のいずれか一方を順次拡大表示させたり（図７Ｅ及び図７Ｆ参照）、同時押しされていることを示すメッセージを表示させたりすること（図７Ｇのメッセージ６０参照）等が挙げられる。
【００６２】
また、制御部３５は、所定の時間間隔Ｔ内で、第１のキー２２１における文字「Ｆ」及び文字「Ｇ」に対応する複数の異なる操作検出部２３により操作が検出されると、当該操作が検出された複数の異なる操作検出部２３のそれぞれに割り当てられた文字「Ｆ」及び文字「Ｇ」を入力すると共に、所定の時間間隔Ｔの計数が終了した後に、第１のキー２２１における文字「Ａ」に対応する操作検出部２３により操作が検出されて、当該操作が検出された操作検出部２３に割り当てられた文字「Ａ」が新たに入力されると、複数の異なる操作検出部２３のそれぞれに割り当てられた文字「Ｆ」及び文字「Ｇ」を、新たに入力された文字「Ａ」と区別して報知部としての表示部１２により報知してもよい。
【００６３】
ここで、表示部１２による報知（表示）としては、文字「Ｆ」及び文字「Ｇ」のいずれか一方の色を順次変化させたり、文字「Ｆ」及び文字「Ｇ」に対応する領域４１及び領域４２のいずれか一方を順次反転表示させたり、文字「Ｆ」及び文字「Ｇ」のいずれか一方を順次拡大表示させたり、同時押しされていることを示すメッセージを表示させたりすること等が挙げられる。
【００６４】
図８は、報知部としての表示部１２に表示されるメッセージについて示す図である。
制御部３５は、所定の時間間隔Ｔ内で、第１のキー２２１における文字「Ｆ」及び文字「Ｇ」に対応する複数の異なる操作検出部２３により操作が検出されると、当該操作が検出された複数の異なる操作検出部２３のそれぞれに割り当てられた文字「Ｆ」及び文字「Ｇ」を入力すると共に、所定の時間間隔Ｔが経過した後に、入力された文字に対応する機能（例えば、電子メールアプリケーションのメール本文を入力する機能）を終了する操作が操作検出部２３により操作が検出されると、当該操作を報知するメッセージ６１を表示部１２に表示してもよい（図８参照）。
【００６５】
また、制御部３５は、所定の時間間隔Ｔ内で、第１のキー２２１における文字「Ｆ」及び文字「Ｇ」に対応する複数の異なる操作検出部２３により操作が検出されると、当該操作が検出された複数の異なる操作検出部２３のそれぞれに割り当てられた文字「Ｆ」及び文字「Ｇ」を入力すると共に、サイドキー２２４の押下等の所定の条件に応じて、当該入力された文字の選択を、所定の処理として行ってもよい。
【００６６】
すなわち、制御部３５は、第１のキー２２１における文字「Ｆ」及び文字「Ｇ」に対応する複数の異なる操作検出部２３により操作が検出されると、当該操作が検出された複数の異なる操作検出部２３のそれぞれに割り当てられた文字「Ｆ」及び文字「Ｇ」を入力する（図４Ａ参照）。そして、制御部３５は、サイドキー２２４に対応する操作検出部２３により操作が検出されたことに応じて、入力された文字「Ｆ」及び文字「Ｇ」のいずれか一方、あるいは両方をカーソル５０により順次選択する。
【００６７】
図９は、上述した制御部３５による処理の一例を示すフローチャートである。なお、図９に示す処理では、第１のキー２２１における文字「Ｆ」及び文字「Ｇ」に対応する操作検出部２３が操作された場合について説明する。
【００６８】
ステップＳ１において、操作検出部２３は、文字「Ｆ」及び文字「Ｇ」に対応する第１のキー２２１の操作を検出する（図３参照）。
【００６９】
ステップＳ２において、制御部３５は、検出された操作が所定の時間間隔Ｔ内であるか否かを判定する。所定の時間間隔Ｔ内である場合には、ステップＳ３へ移る。一方、所定の時間間隔Ｔ外である場合には、ステップＳ４へ移る。
【００７０】
ステップＳ３において、制御部３５は、操作が検出された操作検出部２３のそれぞれに割り当てられた文字である文字「Ｆ」及び文字「Ｇ」を入力すると共に（図４Ａ参照）、入力された文字「Ｆ」及び文字「Ｇ」のうちいずれか一つをカーソル５０によって順次選択する処理を、所定の処理として行う（図４Ａ及び図４Ｂ参照）。
【００７１】
ステップＳ４において、制御部３５は、操作が検出された操作検出部２３のそれぞれに割り当てられた文字である文字「Ｆ」及び文字「Ｇ」を入力する。
【００７２】
ステップＳ５において、制御部３５は、入力された文字「Ｇ」がカーソル５０により選択されているときに（図４Ａ参照）、削除キー２２２に対応する操作検出部２３により操作が検出されると、この時点で選択されていた領域４２の文字である文字「Ｇ」を消去する（図４Ｃ参照）。一方、制御部３５は、入力された文字「Ｆ」がカーソル５０により選択されているときに、削除キー２２２に対応する操作検出部２３により操作が検出されると、この時点で選択されていた領域４１の文字である文字「Ｆ」を消去する（図４Ｄ参照）。
【００７３】
本実施形態の携帯電話機１によれば、以下の効果を奏することができる。
制御部３５は、所定の時間間隔Ｔ内で、複数の異なる操作検出部２３により操作が検出されると、当該操作が検出された複数の異なる前記操作検出部２３のそれぞれに割り当てられた文字を入力すると共に、当該入力された文字に関するデータに対して所定の処理を行う。一方、制御部３５は、所定の時間間隔Ｔ外で、複数の異なる操作検出部２３により操作が検出されると、当該操作が検出された複数の異なる操作検出部２３のそれぞれに割り当てられた文字を入力すると共に、当該入力された文字に関するデータに対して所定の処理を行わない。
【００７４】
これにより、携帯電話機１は、所定の時間間隔Ｔ内で複数の異なる操作検出部２３により操作が検出された場合と、所定の時間間隔Ｔ外で複数の異なる操作検出部２３により操作が検出された場合とで、入力された文字に対応する所定領域に対する処理を異ならせる。つまり、複数の操作検出部２３が同時押しされた場合と、複数の操作検出部２３が同時押しされない場合とで、入力された文字に対する処理入力された文字に対応する所定領域に対する処理を異ならせるため、携帯電話機１は、操作性のさらなる向上を図ることができる。
【００７５】
また、制御部３５は、入力された複数の文字「Ｆ」及び文字「Ｇ」のうちいずれか一つをカーソル５０によって順次選択する処理を、所定の処理として行う。つまり、携帯電話機１は、同時押しされた文字「Ｆ」及び文字「Ｇ」のうちいずれか一つをカーソル５０によって順次選択する。これにより、携帯電話機１のユーザは、単一の操作検出部２３を操作しようとしたにもかかわらず、誤って複数の操作検出部２３を操作してしまった場合に、同時押しされた文字が順次選択されるため、本来は入力する意図の無い文字を削除することが容易になる。したがって、携帯電話機１は、操作性のさらなる向上を図ることができる。
【００７６】
また、制御部３５は、入力された複数の文字「Ｆ」及び文字「Ｇ」のうちいずれか一つを選択する順序を所定の入力規則に基づいて変更する。これにより、携帯電話機１のユーザは、所定の規則を把握して操作を行うことにより、誤って同時押しをしてしまった場合に、より迅速に誤って操作した文字を削除することができる。
【００７７】
また、制御部３５は、入力された複数の文字「Ｆ」及び文字「Ｇ」のうちいずれか一つを選択する速度を所定の規則に基づいて変更する。これにより、携帯電話機１のユーザは、同時押しされた文字のいずれか一方をより確実に選択できるため、より迅速に誤って操作した文字を削除することができる。
【００７８】
また、制御部３５は、入力された文字「Ｆ」及び文字「Ｇ」のうちいずれか一つをカーソル５０によって順次選択する処理を、所定の処理として行っているときに、操作検出部２３のうちの削除キー２２２に対応する操作検出部２３により操作が検出されると、削除キー２２２に対応する操作検出部２３により操作が検出された時点で、所定の処理の結果としてカーソル５０により選択されていた領域の文字を消去する。
これにより、携帯電話機１のユーザは、同時押しされた文字のいずれか一つをより確実に削除できる。したがって、携帯電話機１は、操作性のさらなる向上を図ることができる。
【００７９】
また、制御部３５は、所定の処理の結果として選択された文字「Ｆ」又は文字「Ｇ」のいずれか一方を、所定の処理の結果として選択されてない文字「Ｆ」又は文字「Ｇ」のいずれか他方と区別して表示部１２により報知する。これにより、携帯電話機１のユーザは、同時押しされた文字を明確に認識することができる。
【００８０】
また、制御部３５は、所定の時間間隔Ｔ内で、複数の異なる操作検出部２３のうちの特定の操作検出部２３（例えば、第１のキー２２１）により操作が検出された場合に、所定の処理を行う。これにより、同時押しされる場合が多いＳｈｉｆｔキーやＣｔｒｌキー等の第２のキー２２３が操作された場合には、所定の処理が行われず、第１のキー２２１が操作された場合には、所定の処理が行われるため、携帯電話機１は、操作検出部２３の操作に応じて、操作性の向上を図ることができる。
【００８１】
また、制御部３５は、報知部としてのスピーカ１５やバイブレータ３８により所定の処理に対応する報知を行う。これにより、例えば、携帯電話機１のユーザが表示部１２を視認していない場合であっても、ユーザに対して同時押しされたことを報知することができる。
【００８２】
制御部３５は、所定の時間間隔Ｔ内で、第１のキー２２１における文字「Ｆ」及び文字「Ｇ」に対応する複数の異なる操作検出部２３により操作が検出されると、当該操作が検出された複数の異なる操作検出部２３のそれぞれに割り当てられた文字「Ｆ」及び文字「Ｇ」を入力すると共に、当該操作が検出された時点において、既に入力された既入力文字「あ」が存在する場合には、当該入力された文字を既入力文字と区別して報知部としての表示部１２により報知（表示）することにより、所定の処理を行う。
これにより、携帯電話機１のユーザは、同時押しされた文字と既入力文字とを明確に認識することができる。
【００８３】
また、制御部３５は、所定の時間間隔Ｔが経過した後に、第１のキー２２１における文字「Ａ」に対応する操作検出部２３により操作が検出されて、当該操作が検出された操作検出部２３に割り当てられた文字「Ａ」が新たに入力されると、複数の異なる操作検出部２３のそれぞれに割り当てられた文字「Ｆ」及び文字「Ｇ」を、新たに入力された文字「Ａ」と区別して報知部としての表示部１２により報知する。
これにより、携帯電話機１のユーザは、同時押しされた文字の次に新たな文字が入力された場合に、同時押しされた文字を明確に認識することができるため、同時押しが意図せず行われた場合に、同時押しにより入力された不要な文字に引き続いて新たな文字が入力されるという事態が未然に抑制される。
【００８４】
また、制御部３５は、所定の時間間隔Ｔ内で、第１のキー２２１における文字「Ｆ」及び文字「Ｇ」に対応する複数の異なる操作検出部２３により操作が検出されると、当該操作が検出された複数の異なる操作検出部２３のそれぞれに割り当てられた文字「Ｆ」及び文字「Ｇ」を入力すると共に、サイドキー２２４の押下等の所定の条件に応じて、当該入力された文字の選択を、所定の処理として行う。
これにより、携帯電話機１のユーザは、サイドキー２２４押下等の所定の条件に応じて、所定の処理を行うか否かを容易に選択することができる。
【００８５】
また、制御部３５は、互いに隣接する操作検出部２３により操作が検出された場合に、所定の処理を行う。互いに隣接する操作検出部２３は、同時押しがされ易いため、互いに隣接する操作検出部２３により操作が検出された場合に、所定の処理を行うことで、携帯電話機１は、操作性のさらなる向上を図ることができる。
【００８６】
以上、本発明の実施形態について説明したが、本発明は上述した実施形態に制限されるものではなく、適宜変更が可能である。例えば、上述した実施形態では、携帯電話機１は、第１筐体１０と第２筐体２０とが連結部材により開閉方向Ｄに沿って移動可能に構成されていたが、本発明はこれに限らず、例えば、携帯電話機１は、ストレートタイプの筐体にＱＷＥＲＴＹ配列のキー配列の操作部２２を設けたものであってもよい。また、キー配列は、ＱＷＥＲＴＹ配列に限らず、ＪＩＳ配列等の他のキー配列であってもよい。
【００８７】
また、上述した実施形態では、携帯電話機１の操作部２２は、物理的な部材（操作キー部材２２ａと、キー基板２２ｂ）で構成されていたが、本発明はこれに限らない。例えば、表示部１２がタッチパネルで構成され、操作部２２は、このタッチパネル上に表示される仮想的なキーボードであってもよい。仮想的なキーボードは表示部１２に表示されるため、特にキーの表示サイズが小さく、キーとキーが隙間無く表示される。したがって、同時押しがされ易いため、操作部２２がタッチパネル上に表示される携帯電話機１は、本発明を適用することにより、操作性のさらなる向上を図ることができる。
また、上述した実施形態では、ｄｅｌ（ｄｅｌｅｔｅ）キーを、文字を削除する削除キー２２２として用いたが、他のキーの操作により文字を削除してもよい。
【００８８】
また、上述した実施形態において、携帯電子機器としての携帯電話機１について説明したが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００８９】
１  携帯電話機（携帯電子機器）
１２  表示部（報知部）
１５  スピーカ（報知部）
２３  操作検出部
３５  制御部
３８  バイブレータ（報知部）
【図１】
0005528831.tif 000002
【図２】
0005528831.tif 000003
【図３】
0005528831.tif 000004
【図４Ａ】
0005528831.tif 000005
【図４Ｂ】
0005528831.tif 000006
【図４Ｃ】
0005528831.tif 000007
【図４Ｄ】
0005528831.tif 000008
【図５】
0005528831.tif 000009
【図６Ａ】
0005528831.tif 000010
【図６Ｂ】
0005528831.tif 000011
【図６Ｃ】
0005528831.tif 000012
【図６Ｄ】
0005528831.tif 000013
【図６Ｅ】
0005528831.tif 000014
【図６Ｆ】
0005528831.tif 000015
【図７Ａ】
0005528831.tif 000016
【図７Ｂ】
0005528831.tif 000017
【図７Ｃ】
0005528831.tif 000018
【図７Ｄ】
0005528831.tif 000019
【図７Ｅ】
0005528831.tif 000020
【図７Ｆ】
0005528831.tif 000021
【図７Ｇ】
0005528831.tif 000022
【図８】
0005528831.tif 000023
【図９】
0005528831.tif 000024